(57)【要約】【課題】電解水生成装置において、電装箱内の基板に搭載されたＬＥＤの表示を、簡単な構成によって、電解水生成装置の外側から確認できるようにする。【解決手段】水を電気分解して電解水を生成する電解部、および電解部を制御する基板を有する電装箱を収納した電解水生成装置５において、前記基板にＬＥＤ部７２と、ディップスイッチとを備え、前記ディップスイッチの切り替えにより、ＬＥＤ部７２の表示形態が、電解部に関する異常の内容を確認可能な確認モードと、異常の有無を表示する表示モードとに切り替えられ、前記電装箱は、前記ＬＥＤ部７２を該電装箱の外側に露出させる開口８４を有し、前記電装箱及び前記電解部を収納する筐体５０に窓９０を設け、窓９０からＬＥＤ部７２が臨むようにした。【選択図】図９
2010172870.tif 000002
【特許請求の範囲】
【請求項１】
水を電気分解して電解水を生成する電解部、および電解部を制御する基板を有する電装箱を収納した電解水生成装置において、
前記基板にＬＥＤと、スイッチとを備え、前記スイッチの切り替えにより、ＬＥＤの表示形態が、電解部に関する異常の内容を確認可能な確認モードと、異常の有無を表示する表示モードとに切り替えられ、
前記電装箱は、前記ＬＥＤを該電装箱の外側に露出させる開口を有し、
前記電装箱及び前記電解部を収納する筐体に窓を設け、この窓から前記ＬＥＤが臨むようにしたこと、
を特徴とする電解水生成装置。
【請求項２】
前記開口は、前記電装箱の内側に向けて先細りに形成される凹部の端に設けられたこと、
を特徴とする請求項１記載の電解水生成装置。
【請求項３】
前記凹部は前記電装箱の側面の蓋に設けられ、
前記凹部において、前記蓋の面から前記開口の上部に延びる部分は、下方に向けて傾斜していること、
を特徴とする請求項２記載の電解水生成装置。
【請求項４】
前記窓は、前記筐体に形成された開口部に透明な板を設けて構成されたこと、
を特徴とする請求項１から３のいずれかに記載の電解水生成装置。
【請求項５】
前記電解部は、水を貯留する水槽と、該水槽への水の供給を切り替える給水弁と、水を電解する電解ユニットとを備え、
前記確認モードでは、前記水槽の水位の異常、前記給水弁の異常、及び、前記電解ユニットにおける電解の電流値の異常の少なくともいずれかを確認可能であること、
を特徴とする請求項１から４のいずれかに記載の電解水生成装置。
【発明の詳細な説明】
【技術分野】
【０００１】
本発明は、電解水生成装置に関する。
【背景技術】
【０００２】
従来、表示部品としてのＬＥＤが搭載された基板を、電装箱に収容した機器が知られている（例えば、特許文献１参照）。
また、水道水を電気分解して次亜塩素酸を含む電解水を生成する電解水生成装置を備え、電解水を用いて空気中に浮遊するウィルス等の除去を図った除菌装置が提案されている（例えば、特許文献２参照）。この除菌装置は、不織布等からなる加湿エレメントに電解水を供給して、加湿エレメント上で空気中のウィルス等を電解水に接触せしめ、ウィルス等を不活化することにより、空気を除菌しようとするものである。
【特許文献１】特開２０００−６８６６７号公報
【特許文献２】特開２００２−１８１３５８号公報
【発明の開示】
【発明が解決しようとする課題】
【０００３】
ところで、上記従来の機器において、上記基板に搭載されたＬＥＤによる表示を、機器の外側から確認できるようにする場合、機器の外面に表示用のＬＥＤを別途設け、上記基板と外面に設けたＬＥＤとを配線で接続する必要があり、部品点数の増加や組立てに手間がかかるという課題があった。
【０００４】
そこで、本発明は、水を電気分解して電解水を生成する電解水生成装置において、電装箱内の基板に搭載されたＬＥＤの表示を、簡単な構成によって、電解水生成装置の外側から確認できるようにすることを目的とする。
【課題を解決するための手段】
【０００５】
上記課題を解決するため、本発明は、水を電気分解して電解水を生成する電解部、および電解部を制御する基板を有する電装箱を収納した電解水生成装置において、前記基板にＬＥＤと、スイッチとを備え、前記スイッチの切り替えにより、ＬＥＤの表示形態が、電解部に関する異常の内容を確認可能な確認モードと、異常の有無を表示する表示モードとに切り替えられ、前記電装箱は、前記ＬＥＤを該電装箱の外側に露出させる開口を有し、前記電装箱及び前記電解部を収納する筐体に窓を設け、この窓から前記ＬＥＤが臨むようにしたことを特徴とする電解水生成装置を提供する。
この構成によれば、電装箱の基板に設けられたＬＥＤは、電装箱の開口から電装箱の外側に露出し、電解水生成装置の筐体に設けられた窓から外側に臨む。これにより、電装箱の開口及び窓を介して基板のＬＥＤを視認でき、筐体の外側に別のＬＥＤ等を設けない簡単な構成によって、電解水生成装置の外側からＬＥＤの表示を確認できるようにすることができる。
また、スイッチによって確認モードと表示モードとを切り換えて、同一のＬＥＤによって各モードの表示をするため、各モードに専用のＬＥＤを設ける必要がない。これにより、部品点数を削減することができ、電解水生成装置を簡単な構成とすることができる。
【０００６】
上記構成において、前記開口は、前記電装箱の内側に向けて先細りに形成される凹部の端に設けられても良い。
この場合、ＬＥＤを電装箱の外側に露出させる開口は、電装箱の内側に向けて先細りに形成される凹部の端に設けられるため、凹部の端に設けられる開口を小さくしつつ、凹部を電装箱の外面側にかけて広がる形状とすることができる。これにより、開口を小さくして開口からの塵埃等の侵入を防止しつつ、ＬＥＤ以外の電装箱の内部をできるだけ見えないようにすることができる。また、凹部が電装箱の外面側にかけて広がる形状であるため、凹部の正面から外れた位置からもＬＥＤを視認でき、視認性を向上できる。
【０００７】
また、前記凹部は前記電装箱の側面の蓋に設けられ、前記凹部において、前記蓋の面から前記開口の上部に延びる部分は、下方に向けて傾斜していても良い。
この場合、凹部が電装箱の側面に設けられた場合において、電装箱の側面と開口の上部とを繋ぐ部分が開口に向けて下方に傾斜しており、凹部が開口から側面の側にかけて上方に広がっているため、凹部の上方から開口を視認し易く、ＬＥＤを電解水生成装置の上方から容易に視認できる。
【０００８】
さらに、前記窓は、前記筐体に形成された開口部に透明な板を設けて構成されても良い。
この場合、筐体に透明な窓を設けた簡単な構成によって、電解水生成装置の外側からＬＥＤを容易に視認できる。
また、前記電解部は、水を貯留する水槽と、該水槽への水の供給を切り替える給水弁と、水を電解する電解ユニットとを備え、前記確認モードでは、前記水槽の水位の異常、前記給水弁の異常、及び、前記電解ユニットにおける電解の電流値の異常の少なくともいずれかを確認可能であっても良い。
この場合、ＬＥＤの表示形態を確認モードに切り替えることによって、水槽の水位の異常、給水弁の異常、及び、電解ユニットにおける電解の電流値の異常の少なくともいずれかを確認することができる。
【発明の効果】
【０００９】
本発明によれば、水を電気分解して電解水を生成する電解水生成装置において、電装箱内の基板に搭載されたＬＥＤの表示を、簡単な構成によって、電解水生成装置の外側から分かるようにすることができる。
【発明を実施するための最良の形態】
【００１０】
以下、図面を参照して本発明の実施の形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器２１（図２）で熱交換された後、供給口１１１及び給気ダクト１０５を通じて、吹出口１０４から調和空気として映画館１００内に供給される。
【００１１】
空気調和機１１０は、例えば、映画館、劇場、病院、または、ショッピングセンタ等、不特定多数の人が長時間滞在する大空間施設を有する構造物２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１２】
図２及び図３に示すように、空気調和機１１０は、１つの筐体部１１４に熱源側ユニット１と利用側ユニット２とを一体に備えて構成される。
具体的には、筐体部１１４内は、仕切板１１５によって区分けされており、機械室である一方の室１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１３】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１４】
空気調和機１１０には、利用側送風機２２の運転により、利用側熱交換器２１で冷房または暖房された調和空気を除菌する除菌ユニット１５０が設けられており、本実施形態では、空気調和機１１０と、空気調和機１１０内に設けられた除菌ユニット１５０とを備えて空気調和除菌システムが構成される。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水生成装置５とを備えている。
【００１５】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０の空気除菌部４に設けられた気液接触部材（図示略）を通過する際に電解水と接触することにより除菌され、除菌された空気が後室１２１、供給口１１１及び給気ダクト１０５を通じて、映画館１００内に循環供給される。
【００１６】
続いて、空気調和機１１０のより具体的な実施態様を説明する。
図４は、本実施形態における電解水生成装置５の構成及び設置状態を示す外観斜視図である。理解の便宜を図るため、図４には熱源側ユニット１及び利用側ユニット２と、電解水生成装置５と熱源側ユニット１及び利用側ユニット２との間に敷設される配管類とを、併せて図示する。
除菌ユニット１５０（図２）は、除菌室１２０内に配置される空気除菌部４と除菌室１２０に隣接して配置される電解水生成装置５とを備える。電解水生成装置５は、除菌能を有する電解水を生成して空気除菌部４に循環供給し、空気除菌部４は、電解水生成装置５から供給される電解水と空気とを接触させて空気を除菌する。
【００１７】
図４に示すように、電解水生成装置５と除菌室１２０との間には、電解水生成装置５から除菌室１２０に対して電解水を供給する電解水供給管５６、及び、除菌室１２０から電解水が電解水生成装置５へ環流する循環水戻り管５５が接続されている。また、電解水生成装置５には、市水（水道水）を電解水生成装置５へ供給する給水管５７が、減圧弁５７Ａを介して接続されている。さらに、電解水生成装置５には、電解水を貯留する貯水タンク５１（水槽）内の水位が所定水位を超えた場合に排水を行うオーバーフロー管６８、及び、貯水タンク５１内の電解水を排出する排水管６７が取り付けられている。また、除菌室１２０には、除菌室１２０内に納められた除菌ユニット１５０から空気調和機１１０の外へ電解水を排水する排水管６９が接続されている。
【００１８】
図５は、電解水生成装置５の構成を示す分解斜視図である。
電解水生成装置５は、熱源側ユニット１及び利用側ユニット２とは別体として構成される筐体５０を有し、この単一の筐体５０に、電解部２５及び電装箱３０を収納して構成されている。電解部２５は、電解水を生成して循環供給させる機能を有し、貯水タンク５１、貯水タンク５１内の水を電気分解して電解水を生成する電解ユニット５２、貯水タンク５１への水道水の供給を調節する給水弁５８、電解水供給管５６上に設けられ電解水を循環させる送水ポンプ５３、送水ポンプ５３の下流側で電解水供給管５６から分岐して電解ユニット５２に接続される分岐管（図示略）、空気除菌部４から戻る電解水を貯水タンク５１に導く循環水戻り管５５（図４）、所定のイオン種を含む食塩水を貯留する食塩水タンク５９、及び、食塩水タンク５９の食塩水を貯水タンク５１に送る供給ポンプ６１等を備えて構成されている。
【００１９】
図５に示すように、電解水生成装置５の筐体５０は直方体であり、筐体５０内の奥側、すなわち、除菌室１２０に近い側に、貯水タンク５１及び食塩水タンク５９が並べて配置され、手前側に電装箱３０が配置されている。貯水タンク５１及び食塩水タンク５９は比較的大型に形成され、筐体５０内の奥行方向の半分以上を占めている。電装箱３０は、貯水タンク５１と食塩水タンク５９より手前側において、筐体５０の幅方向に延在している。
【００２０】
電解ユニット５２は貯水タンク５１の側面の下部に設けられている。電解ユニット５２は、有底円筒形状の本体ケースと、本体ケース内に収納される少なくとも一対の電極板（図示略）とを備え、これら電極板間に電圧を印加することにより、水を電気分解して活性酸素種を含む電解水を生成させる。また、貯水タンク５１の側面には、食塩水タンク５９からの食塩水が投入される食塩水投入部９５、及び、給水管５７（図４）と接続される給水弁５８が設けられている。給水弁５８は、貯水タンク５１内に設けられるフロートスイッチＦＳ（図５）の動作に基づき開閉制御される。
【００２１】
電解水中の活性酸素種の濃度は、制御部３９（図６）の制御によって、除菌するウィルス等を不活化させる濃度となるように調整される。活性酸素種の濃度の調整は、電解ユニット５２の一対の電極板間に印加する電圧を調整して、電極板間に流す電流値を調整することにより行われる。例えば、一方の電極板に正の電位を与えて、電極板間に流れる電流値を、電流密度で２０ｍＡ（ミリアンペア）／ｃｍ２（平方センチメートル）とすると、所定の遊離残留塩素濃度（例えば１ｍｇ（ミリグラム）／ｌ（リットル））が発生する。また、電極板間に印加する電圧を変更して、電流値を高くすることで、電解水中の次亜塩素酸の濃度を高い濃度に調整できる。
【００２２】
筐体５０はその上面が着脱可能な蓋５０Ａとなっていて、底部を構成する底板５０Ｂの縁部に、側面を構成する４つの側板がそれぞれ立設されている。これら４つの側板は、複数の配管が引き出される配管引出パネル５０Ｃ、配管引出パネル５０Ｃと対向する食塩水タンク側パネル５０Ｄ、電装箱３０の側に位置する前面パネル５０Ｅ、及び、筐体５０の奥側に位置する背面パネル５０Ｆにより構成されている。また、図４に示すように、底板５０Ｂの下面には、配管引出パネル５０Ｃ及び食塩水タンク側パネル５０Ｄに沿って延在する支持台４９がそれぞれ設けられ、筐体５０は、支持台４９によって支持されている。
【００２３】
蓋５０Ａは、図示しない複数のネジ等により固定され、このネジを取り外すことによって開くことが可能である。蓋５０Ａの開放状態では、筐体５０の内部に収容された電装箱３０、貯水タンク５１、送水ポンプ５３、食塩水タンク５９、供給ポンプ６１等の各部へのアクセスが可能となる。
蓋５０Ａは、屋外に設置される電解水生成装置５への雨水及び塵埃の侵入を防止するため、筐体５０の上面および各側面の上端を覆っている。また、貯水タンク５１は、その上方を覆う蓋部材（図示略）により密閉される。
【００２４】
配管引出パネル５０Ｃは、貯水タンク５１が設置された側の側面に相当し、電解水生成装置５の外部と貯水タンク５１とに繋がる各種配管を通すための複数の孔が開口している。
さらに、配管引出パネル５０Ｃには、筐体５０内外に連通する導入口９６が設けられ、導入口９６から筐体５０内に空気が導入される。導入口９６は、雨水の浸入を防止可能な鎧戸状に形成され、配管引出パネル５０Ｃの下部に形成されている。
【００２５】
また、前面パネル５０Ｅは筐体５０の前面を構成し、配管引出パネル５０Ｃ及び配管引出パネル５０Ｃの端を折り曲げて形成したカバー取付部５０Ｇにネジ止めされている。前面パネル５０Ｅは、カバー取付部５０Ｇへのネジ止めを外すことにより筐体５０の前面側から簡単に取り外すことができる。
【００２６】
前面パネル５０Ｅを取り外すと、筐体５０内における手前側に設けられた電装箱３０が露出する。
電装箱３０は、プリント基板、電源トランス、端子盤、コンデンサ等の各種電気回路を収容する箱本体３１と、箱本体３１の側面に形成された開口部３０Ａを開放可能に塞ぐ蓋体３８（蓋）とを有している。蓋体３８は、前面パネル５０Ｅの裏面に重なるようにして、前面パネル５０Ｅに近接した位置に設けられ、電装箱３０の前面を構成している。
電装箱３０は、直方体に形成され、その底面３０Ｂが筐体５０の底板５０Ｂから浮くように、食塩水タンク側パネル５０Ｄにブラケット３５を介して固定され、電装箱３０の下方の空間には、供給ポンプ６１及び送水ポンプ５３が並べて設置されている。
【００２７】
電装箱３０の底面３０Ｂには、電装箱３０の内外に連通する通気口３０Ｃが設けられ、筐体５０内に導入された空気は通気口３０Ｃから電装箱３０内に導かれる。また、電装箱３０の側面において食塩水タンク側パネル５０Ｄと面する排気側側面３０Ｄには、電装箱３０の外側に連通する排気口３０Ｅが設けられ、排気口３０Ｅは、食塩水タンク側パネル５０Ｄに設けられた排気孔（図示略）と繋がっている。さらに、上記排気孔には、この排気孔を覆うフード４７（図６）が取り付けられており、排気孔からの雨水等の浸入が防止されている。このように、電装箱３０は、通気口３０Ｃ及び排気口３０Ｅを有し、電装箱３０内を通過する空気によって電装箱３０内を冷却することができる。
【００２８】
供給ポンプ６１は、食塩水供給管（図示略）を介して食塩水タンク５９の内部に繋がる吸込口６１Ａと、貯水タンク５１の食塩水投入部９５に繋がる吐出口６１Ｂとを有し、吸込口６１Ａから吸い込んだ食塩水を吐出口６１Ｂから吐出する。供給ポンプ６１の脚部６１Ｃは底板５０Ｂに固定されている。
送水ポンプ５３は、貯水タンク５１内の電解水を吸い込む吸込口５３Ａと、吸込口５３Ａから吸い込んだ電解水を除菌室１２０へ吐出する吐出口５３Ｂとを有する。また、吐出口５３Ｂから吐出された電解水の一部は分岐して電解ユニット５２へ供給され、その後、貯水タンク５１に戻る。送水ポンプ５３の脚部５３Ｃは底板５０Ｂに固定されている。
【００２９】
また、電装箱３０の下方に設置された供給ポンプ６１及び送水ポンプ５３は、電装箱３０の底面３０Ｂに穿設された配線通し孔３７を通る配線（図示略）によって電源回路部３３に接続される。
【００３０】
また、貯水タンク５１の配管引出パネル５０Ｃ側の面には、オーバーフロー排出口８１、水抜き口８２、及び、循環水戻り口４４が設けられている。オーバーフロー排出口８１は、貯水タンク５１内の電解水の水位が、オーバーフロー排出口８１の高さを超えた場合に、電解水をオーバーフロー管６８（図４）に排出させる開口部である。循環水戻り口４４は、除菌室１２０からの循環水戻り管５５が接続される開口部である。また、水抜き口８２は、メンテナンス時に貯水タンク５１内の電解水を強制的に全量排水するための開口部であり、手作業により開閉されるコックが取り付けられている。
【００３１】
貯水タンク５１の内部は仕切壁６４によって区画され、仕切壁６４には貫通孔が設けられており、この貫通孔にはスケールフィルタ６６が取り付けられ、電解水は電解ユニット５２側の室から他方の室へスケールフィルタ６６を通って流れる。スケールフィルタ６６の下流側の室には、貯水タンク５１の電解水の水位を検出する複数のフロートスイッチＦＳが取り付けられている。
【００３２】
図６は、前面パネル５０Ｅ及び蓋体３８を外した状態の電解水生成装置５を筐体５０の前面から見た正面図である。
電装箱３０には、制御部３９を構成するマイコン等が実装された制御基板３２（基板）及び、電解ユニット５２、送水ポンプ５３、及び、供給ポンプ６１等に電源を供給する電源回路部３３が収容されている。制御部３９は、電解ユニット５２、送水ポンプ５３、供給ポンプ６１、給水弁５８、及び、フロートスイッチＦＳ等に接続され、電解部２５の動作を制御する。
制御基板３２及び電源回路部３３は、電装箱３０の背面を構成する背面板３０Ｈの側に設けられ、電装箱３０内の奥側に位置している。制御基板３２は、電装箱３０内において食塩水タンク側パネル５０Ｄの側に位置し、蓋体３８と略平行に設けられている。また、電源回路部３３は、配管引出パネル５０Ｃの側に設けられている。
【００３３】
制御基板３２において蓋体３８の側に面する基板前面３２ａには、電解部２５の運転状態を点灯のパターンによって表示する第１のＬＥＤ（Light Emitting Diode）７１ａ及び第２のＬＥＤ７１ｂを備えたＬＥＤ部７２（ＬＥＤ）が設けられている。第１のＬＥＤ７１ａは基板前面３２ａの上部に配設され、第２のＬＥＤ７１ｂは第１のＬＥＤ７１ａの下方において第１のＬＥＤ７１ａに隣接して配設されている。また、基板前面３２ａには、ＬＥＤ部７２の表示形態を切り替えるためのディップスイッチ７３（スイッチ）が設けられている。
【００３４】
図７は、前面パネル５０Ｅを外した状態の電解水生成装置５を筐体５０の前面から見た正面図である。図８は、蓋体３８を電装箱３０の内側から見た図である。
蓋体３８は長方形の平板により構成され、縁部に複数形成された固定孔３８ａを介して、複数のネジ６５によって箱本体３１に着脱自在に取り付けられている。
【００３５】
蓋体３８には、箱本体３１に取り付けられた状態において、電装箱３０の内側に向けて窪んだ凹部８３が設けられている。凹部８３は、図７に示すように、蓋体３８に形成された矩形の孔部３８ｂの各辺から電装箱３０の内側へ延びる４つの板部によって構成されている。電装箱３０の内側へ延びる凹部８３の端には、矩形の開口８４が形成されている。
【００３６】
図７及び図８に示すように、蓋体３８が箱本体３１に取り付けられた状態において凹部８３の両側面を構成する２つの側板部８５は、両側板部８５の間の幅が電装箱３０の内側に行くほど狭くなるように傾斜して設けられている。また、凹部８３の上面を構成する上板部８６は、蓋体３８の面から開口８４の上部へ延び、下方に向けて傾斜している。凹部８３の底面を構成する底板部８７は、略水平に電装箱３０の内側に延びている。このように、凹部８３は、２つの側板部８５が幅狭となるよう傾斜して設けられるとともに、上板部８６が下方に傾斜して設けられており、電装箱３０の内側へ行くほど先細るように形成されている。また、言い換えれば、凹部８３は、電装箱３０の外側に行くほど広がる形状に形成されている。
【００３７】
図７に示すように、凹部８３及び開口８４は、電装箱３０の内部に配設されたＬＥＤ部７２の位置に対応して設けられている。凹部８３は、電装箱３０内の奥側に位置するＬＥＤ部７２の近傍まで延びている。そして、図７の正面視においては、開口８４とＬＥＤ部７２とが重なっており、ＬＥＤ部７２が、開口８４から電装箱３０の外側に露出している。また、開口８４は、開口８４からＬＥＤ部７２が露出する大きさに形成されるとともに、ＬＥＤ部７２以外の制御基板３２の部分ができるだけ露出しないような大きさに形成されている。
【００３８】
凹部８３は、蓋体３８の孔部３８ｂに、電装箱３０の内側へ延びるＬＥＤカバー８８を取り付けることで構成されている。図８に示すように、ＬＥＤカバー８８は、蓋体３８の裏面側に孔部３８ｂ（図７）と重なるように取り付けられるベース板８９に、板金加工により形成された複数の板を組み合せて立体的に構成されている。また、ベース板８９は、孔部３８ｂと重なる部分に開口（図示略）を有し、枠状に形成されている。蓋体３８の裏側から見た場合、ＬＥＤカバー８８は電装箱３０の内側方向に突出し、開口８４は先細りに形成されたＬＥＤカバー８８の端に形成されている。
また、図７に示すように、ＬＥＤカバー８８は、蓋体３８の表面側から複数のネジ６３によって固定されている。
【００３９】
図９は、電解水生成装置５の斜視図である。
電解水生成装置５の筐体５０の前面を構成する前面パネル５０Ｅの上部には、矩形の窓９０が設けられている。窓９０は、前面パネル５０Ｅに形成された矩形の開口部９１に、透明なアクリル板等で構成される透明板９２を設けることで構成されている。透明板９２は、前面パネル５０Ｅの裏面側から開口部９１を塞ぐように取り付けられている。
【００４０】
窓９０は、前面パネル５０Ｅの裏面側の近傍に位置する蓋体３８の凹部８３及び開口８４に対応した位置に設けられており、この窓９０からは、凹部８３及び開口８４を視認することができる。また、窓９０は、凹部８３と同等の大きさに形成され、窓９０を介して凹部８３の全体を見ることが可能になっている。
そして、この窓９０から見える開口８４からはＬＥＤ部７２が露出しており、窓９０からは、ＬＥＤ部７２が臨んでいる。これにより、電解水生成装置５の外側から窓９０を覗くことによって、ＬＥＤ部７２の表示を確認することができる。
【００４１】
ここで、電解部２５の運転状態とＬＥＤ部７２の表示について説明する。
ＬＥＤ部７２は、制御基板３２に設けられた制御部３９によって制御され、ディップスイッチ７３による切り替え操作によって、電解部２５に関する異常の内容を確認可能な確認モードと、電解部２５に関する異常の有無を表示する表示モードとの２つの表示形態で点灯される。詳細には、電解部２５に関する異常の内容とは、貯水タンク５１の水位の異常、給水弁５８の異常、及び、電解ユニット５２における電解の電流値の異常である。
【００４２】
上記表示モードは、電解部２５の運転状態に異常がない通常の運転時に用いられるモードである。この表示モードにおいて、電解部２５の運転状態に異常がない場合、制御部３９は、第１のＬＥＤ７１ａを点灯させ、第２のＬＥＤ７１ｂを消灯する表示パターンによって、電解部２５が正常に運転していることを表示する。
一方、表示モードにおいて、電解部２５の運転状態に異常がある場合、制御部３９は、第１のＬＥＤ７１ａと第２のＬＥＤ７１ｂとを交互に点滅させる表示パターンによって、電解部２５に異常があることを表示する。
【００４３】
そして、上記表示モードによって電解部２５に異常があることが表示された場合、電装箱３０内のディップスイッチ７３がサービスマン等によって押圧されることで、ＬＥＤ部７２の表示形態が上記確認モードに切り替えられる。
具体的には、確認モードおいて貯水タンク５１の水位の異常がある場合、制御部３９は、第１のＬＥＤ７１ａ及び第２のＬＥＤ７１ｂを２秒間隔で同時に点滅させ、給水弁５８に異常がある場合、第１のＬＥＤ７１ａ及び第２のＬＥＤ７１ｂを５秒間隔で同時に点滅させ、電解ユニット５２における電解の電流値に異常がある場合、第１のＬＥＤ７１ａ及び第２のＬＥＤ７１ｂを１０秒間隔で同時に点滅させる表示パターンによって、電解部２５の異常の内容を表示する。
なお、上記のＬＥＤ部７２の表示パターンは一例であり、任意のパターンで表示するようにすることができる。
【００４４】
つまり、電解部２５の運転状態に異常がない通常の運転時においては、電解水生成装置５の外側から窓９０を覗くことによって、表示モードの状態にあるＬＥＤ部７２の表示を視認でき、電解部２５の運転状態に関する異常の有無を確認できる。
また、上記表示モードによって電解部２５に異常があることが表示された場合、サービスマン等により、前面パネル５０Ｅ及び蓋体３８が取り外されてＬＥＤ部７２外側に露出させられ、ディップスイッチ７３が切り替えられることで、ＬＥＤ部７２の表示形態が上記確認モードに切り替えられる。そして、この確認モードの表示パターンを判別することによって、貯水タンク５１の水位の異常、給水弁５８の異常、及び、電解ユニット５２における電解の電流値の異常のいずれかが発生していることを確認できる。
【００４５】
電解水生成装置５においては、前面パネル５０Ｅに設けた窓９０からＬＥＤ部７２が臨むようにしたため、ＬＥＤ部７２を電解水生成装置５の外側から視認できる。これにより、筐体５０の外側に別のＬＥＤ及びこの別のＬＥＤに接続される配線等を設けない簡単な構成によって、電解水生成装置５の外側からＬＥＤ部７２の表示を確認することができる。
また、電解水生成装置５では、表示モードを表示するためのＬＥＤと、確認モードを表示するためのＬＥＤとを兼用しているＬＥＤ部７２を窓９０から確認できる。従って、まず、表示モードによって電解水生成装置５の外側から電解部２５の運転状態に関する異常の有無を確認し、異常があると確認された場合にのみ、前面パネル５０Ｅ及び蓋体３８を外してディップスイッチ７３により確認モードに切り替えれば良い。これにより、ＬＥＤ部７２の確認のために頻繁に前面パネル５０Ｅ及び蓋体３８を外す必要がないという効果が得られる。
【００４６】
以上、本実施形態によれば、電装箱３０の制御基板３２に設けられたＬＥＤ部７２は、電装箱３０の開口８４から電装箱３０の外側に露出し、電解水生成装置５の筐体５０に設けられた窓９０から外側に臨んでいる。これにより、電装箱３０の開口８４及び窓９０を介して制御基板３２のＬＥＤ部７２を確認でき、筐体５０の外側に別のＬＥＤ等を設けない簡単な構成によって、電解水生成装置５の外側からＬＥＤ部７２の表示を確認できる。
また、ディップスイッチ７３によって確認モードと表示モードとを切り換えて、同一のＬＥＤによって各モードの表示をするため、各モードに専用のＬＥＤを設ける必要がない。これにより、部品点数を削減することができ、電解水生成装置５を簡単な構成とすることができる。
【００４７】
また、開口８４は、電装箱３０の内側に向けて先細りに形成される凹部８３の端に設けられるため、開口８４を小さくしつつ、凹部８３を蓋体３８の面の側にかけて広がる形状とすることができる。これにより、開口８４を小さくして開口８４からの塵埃等の侵入を防止しつつ、ＬＥＤ部７２以外の電装箱３０の内部をできるだけ見えないようにすることができる。また、凹部８３が蓋体３８の面の側にかけて広がる形状であるため、凹部８３の正面から外れた位置からもＬＥＤ部７２を視認でき、ＬＥＤ部７２の視認性を向上できる。
【００４８】
また、電装箱３０の側面を構成する蓋体３８に設けられた凹部８３において、蓋体３８の面と開口８４の上部とを繋ぐ上板部８６が開口８４に向けて下方に傾斜しており、凹部８３が開口８４から蓋体３８の面の側にかけて上方に広がっているため、凹部８３の上方から開口８４を視認し易く、ＬＥＤ部７２を電解水生成装置５の上方から容易に視認できる。特に、電解水生成装置５が低い位置に設けられる場合において上方からＬＥＤ部７２を確認でき、効果が高い。
【００４９】
さらに、筐体５０に透明な窓９０を設けた簡単な構成によって、電解水生成装置５の外側からＬＥＤ部７２を容易に視認できる。
また、ＬＥＤ部７２の表示形態を確認モードに切り替えることによって、貯水タンク５１の水位の異常、給水弁５８の異常、及び、電解ユニット５２における電解の電流値の異常を確認することができる。
【００５０】
なお、上記実施の形態は本発明を適用した一態様を示すものであって、本発明は上記実施の形態に限定されない。例えば、上記実施の形態では、ＬＥＤ部７２は第１のＬＥＤ７１ａ及び第２のＬＥＤ７１ｂを備えるものとして説明したが、ＬＥＤ部７２が備えるＬＥＤの個数は１個であっても複数であっても良い。また、上記実施の形態では、凹部８３は、蓋体３８に形成された矩形の孔部３８ｂの各辺から電装箱３０の内側へ延びる４つの板部によって構成されているものとして説明したが、これに限らず、例えば、円筒状の部材を蓋体３８に形成された円形の孔部に設けることで凹部を構成しても良い。さらに、上記実施の形態では、確認モードは、貯水タンク５１の水位の異常、給水弁５８の異常、及び、電解ユニット５２における電解の電流値の異常を表示するものとして説明したが、これら３つの電解部２５の異常の少なくともいずれかを表示するようにしても良く、また、電解部２５の他の部分の異常を表示するようにしても良く、例えば、送水ポンプ５３の異常を表示するようにしても良い。また、その他の電解水生成装置５の細部構成等についても任意に変更可能であることは勿論である。
【図面の簡単な説明】
【００５１】
【図１】本実施形態に係るルーフトップ型空気調和機が建屋に設置された状態を示す断面図である。
【図２】空気調和機の概略構成を示す図である。
【図３】空気調和機の内部構成を上方から見た図である。
【図４】電解水生成装置の構成及び設置状態を示す外観斜視図である。
【図５】電解水生成装置の構成を示す分解斜視図である。
【図６】前面パネル及び蓋体を外した状態の電解水生成装置を筐体の前面から見た正面図である。
【図７】前面パネルを外した状態の電解水生成装置を筐体の前面から見た正面図である。
【図８】蓋体を電装箱の内側から見た図である。
【図９】電解水生成装置の斜視図である。
【符号の説明】
【００５２】
５  電解水生成装置
２５  電解部
３０  電装箱
３２  制御基板（基板）
３８  蓋体
５０  筐体
５１  貯水タンク（水槽）
５２  電解ユニット
５８  給水弁
７１ａ  第１のＬＥＤ
７１ｂ  第２のＬＥＤ
７２  ＬＥＤ部（ＬＥＤ）
７３  ディップスイッチ（スイッチ）
８３  凹部
８４  開口
８６  上板部
９０  窓
９１  開口部
９２  透明板
【図１】
2010172870.tif 000003
【図２】
2010172870.tif 000004
【図３】
2010172870.tif 000005
【図４】
2010172870.tif 000006
【図５】
2010172870.tif 000007
【図６】
2010172870.tif 000008
【図７】
2010172870.tif 000009
【図８】
2010172870.tif 000010
【図９】
2010172870.tif 000011